(57)【要約】      （修正有）【課題】空気吹出口の形状を細長形状とし、フィンの数を少数にした場合でも、風向調整時の指向性を改善することができるレジスタを提供する。【解決手段】上下の伸縮フィンは、スリット溝１３ｂ、１６ｂを平面と平行に且つ背面に開口して設けた本体フィン１３，１６と、スリット溝１３ｂ、１６ｂに摺動可能に挿入される摺動フィン１４とを備えて構成される。本体フィン１３，１６は通風路の壁面に枢軸１３ａ，１６ａにより枢支される。摺動フィン１４の両側端部にはガイド軸１４ａ，１７ａが突設され、ガイド軸１４ａ，１７ａは通風路の壁面に形成されたガイド溝２ａ，２ｂに係合される。伸縮フィンの向きを正面から上下または左右方向に変えて伸縮フィンの後端が通風路の中央側を向いたとき、伸縮フィンの摺動フィン１４が本体フィン１３，１６から後方に突き出し移動する。【選択図】図６
0003158931.tif 000002
【実用新案登録請求の範囲】
【請求項１】
通風路内に複数のフィンを回動可能に並設し、該フィンの向きを変えて風向を調整する可動ルーバを備えたレジスタにおいて、
該通風路の壁面に隣接して配置された該可動ルーバのフィンが伸縮フィンとして形成され、
該伸縮フィンは、平面と平行に且つ背面に開口してスリット溝を設けた本体フィンと、該スリット溝に摺動可能に挿入される摺動フィンとを備えて構成され、
該本体フィンの両側端部は通風路の壁面に枢軸により枢支され、
該摺動フィンの両側端部にはガイド軸が突設され、
該ガイド軸は該通風路の壁面に形成されたガイド溝に係合され、
該伸縮フィンの後端が該通風路の中央側を向くように該可動ルーバの向きを正面から上下または左右方向に変えたとき、該摺動フィンが該本体フィン内から後方に突き出し移動することを特徴とするレジスタ。
【請求項２】
前記可動ルーバが中央フィンの両側に２枚の伸縮フィンを配置した３枚のフィンから構成され、
該２枚の伸縮フィンのみが、平面と平行のスリット溝を背面に開口して設けた本体フィンと、該スリット溝に摺動可能に挿入される摺動フィンとを備え、
該３枚の各フィンの枢軸がクランク及びリンクバーを介して相互に連結されたことを特徴とする請求項１記載のレジスタ。
【請求項３】
前記可動ルーバが前可動ルーバとされ、該前可動ルーバの後方に後可動ルーバが配設され、該後可動ルーバは該前可動ルーバのフィンと直交する方向に複数のフィンが回動可能に並設されて構成されたことを特徴とする請求項２記載のレジスタ。
【請求項４】
長手方向に長く短手方向に短い細長の空気吹出口を有し、空気吹出口の内側に該長手方向に沿って１枚のフィンからなる前可動ルーバが配設され、前可動ルーバの後方に後可動ルーバが配設されたレジスタにおいて、
該前可動ルーバのフィンはその前後幅が伸縮する伸縮フィンとして形成され、
該伸縮フィンは、平面と平行のスリット溝を背面に開口して設けた本体フィンと、該スリット溝に摺動可能に挿入される摺動フィンとを備えて構成され、
該本体フィンの両側端部は通風路の壁面に枢軸により枢支され、
該摺動フィンの両側端部にガイド軸が突設され、
該ガイド軸は通風路の壁面に形成されたガイド溝に係合され、
該伸縮フィンの向きを正面から上下または左右方向に変えたとき、該摺動フィンが該本体フィンから後方に突き出し移動することを特徴とするレジスタ。
【考案の詳細な説明】
【技術分野】
【０００１】
本考案は、自動車等の空調の空気吹出口に使用される空気吹出調整用のレジスタに関し、特に細長形状の空気吹出口を有し、空気吹出口の内側に長手方向に沿って可動ルーバを設けたレジスタに関する。
【背景技術】
【０００２】
空気吹出調整用のレジスタとして、通風路を形成するベゼルまたはリテーナ内に、横可動ルーバと縦可動ルーバを前後して配設し、ベゼルに設けた空気吹出口から空気を吹き出す際、横可動ルーバ及び縦可動ルーバの直交する各フィンの角度を変えて、空気の吹出し方向を調整するレジスタが、自動車の空調装置の吹出口としてインストルメントパネルなどに設けられている。
【０００３】
近年、自動車室内におけるインストルメントパネル近傍のデザインは、全体的にシンプルで違和感のないイメージをコンセプトとし、また大型化するディスプレイの配置などから、空調用レジスタのためのスペースが縮小され、レジスタの吹出口形状は、デザイン的に目立たず、細いスリット形としてデザインされる傾向にある。このようなスリットタイプのレジスタは、その空気吹出口が必然的に長手方向に長く短手方向に短い細長の形状を有し、その空気吹出口の前可動ルーバには、通常、１〜２枚程度のフィンが長手方向に沿って設けられる（例えば下記特許文献１などを参照）。
【特許文献１】特開２００７−３３１４１７号公報
【考案の開示】
【考案が解決しようとする課題】
【０００４】
この細長の空気吹出口を有するレジスタは、その空気吹出口が長手方向に長く短手方向に短い細長形状であるが故に、必然的に長手方向に長い前可動ルーバのフィンの枚数が１、２枚程度と、通常のレジスタの前可動ルーバのフィンに比べ、そのフィンの数は少なくなる。
【０００５】
しかし、このような細長の空気吹出口を有したレジスタは、長手方向に沿った前可動ルーバのフィンの枚数が例えば１、２枚程度と少数になると、フィンの向きを空気吹出口の短手方向に沿った上下または左右方向に変えたとしても、充分にその方向に風の向きを変えることが難しく、送風時の風の指向性が悪化する。
【０００６】
このために、通常、前可動ルーバのフィンの前後幅を広くして、指向性を改善するようにしているが、前可動ルーバのフィンの前後幅を広くすると、例えば、図１４に示すように、前可動ルーバ５０に３枚のフィン５１，５２，５３がある場合、フィン５１，５２，５３の向きを調整したとき、フィン全体の向きの外側に位置するフィン５３の後端が通風路５４の壁面Ｈに干渉する。
【０００７】
このようなフィン５３の壁面Ｈとの干渉を避けるためには、フィン５３の前後幅ａを短くするか、通風路５４の上下方向（短手方向）の幅を広くする、或いは壁面Ｈに凹部を形成する必要があるが、そのためには、細長い空気吹出口を持ったスリットタイプのレジスタを製造する場合でも、通風路及び空気吹出口の短手方向の幅を広くせざるを得ないという課題があった。
【０００８】
本考案は、上記の点に鑑みてなされたもので、空気吹出口の形状を細長形状とし、フィンの数を少数にした場合であっても、風向調整時の指向性を改善することができるレジスタを提供することを目的とする。
【課題を解決するための手段】
【０００９】
上記目的を達成するために、本考案の請求項１のレジスタは、通風路内に複数のフィンを回動可能に並設し、該フィンの向きを変えて風向を調整する可動ルーバを備えたレジスタにおいて、
該通風路の壁面に隣接して配置された該可動ルーバのフィンが伸縮フィンとして形成され、該伸縮フィンは、平面と平行に且つ背面に開口してスリット溝を設けた本体フィンと、該スリット溝に摺動可能に挿入される摺動フィンとを備えて構成され、該本体フィンの両側端部は通風路の壁面に枢軸により枢支され、該摺動フィンの両側端部にはガイド軸が突設され、該ガイド軸は該通風路の壁面に形成されたガイド溝に係合され、該伸縮フィンの後端が該通風路の中央側を向くように該可動ルーバの向きを正面から上下または左右方向に変えたとき、該摺動フィンが該本体フィン内から後方に突き出し移動することを特徴とする。
【００１０】
この考案のレジスタによれば、例えば、可動ルーバに３枚のフィンが並設される場合、可動ルーバの向きを通風路の通風方向と平行に、空気吹出口の正面に向けた状態では、摺動フィンが本体フィンのスリット溝内に収容され、後方への突き出しがないか或いは小さい。しかし、可動ルーバの向きを正面から上下または左右方向に振ったとき、壁面に隣接するフィンの後端を通風路の中央側に向ける伸縮フィンが、摺動フィンのガイド軸をガイド溝内で摺動させ、摺動フィンが本体フィンから後方に突き出すように移動するので、これにより、伸縮フィンの前後幅が増大し、可動ルーバの向きを上下又は左右に調整したときの風の指向性を向上させることができる。
【００１１】
また、フィンの後端を通風路の中央側に向ける伸縮フィンのみが、その摺動フィンを突出させるので、フィンの後端を通風路の壁面側に向ける伸縮フィンはその摺動フィンが本体フィン内に収納され、その前後幅が短い状態である。このため、その伸縮フィンの後端が通風路の壁面に干渉することはなく、通風路の短手方向の幅を狭くして空気吹出口を細長形状としたスリットタイプのレジスタであっても、フィンを通風路内で壁面に干渉させずに回動させることができる。このため、フィンの干渉を避けるために、通風路の壁面に切欠凹部を設けたり、通風路の短手方向の形状を拡張する必要がなく、レジスタの外形形状を小型化することができる。
【００１２】
ここで、上記レジスタにおいて、上記可動ルーバが中央フィンの両側に２枚の伸縮フィンを配置した３枚のフィンから構成され、２枚の伸縮フィンのみが、平面と平行のスリット溝を背面に開口して設けた本体フィンと、該スリット溝に摺動可能に挿入される摺動フィンとを備え、３枚の各フィンの枢軸がクランク及びリンクバーを介して相互に連結される構成とすることができる。
【００１３】
また、上記レジスタにおいて、上記可動ルーバが前可動ルーバとされ、前可動ルーバの後方に後可動ルーバが配設され、該後可動ルーバは該前可動ルーバのフィンと直交する複数のフィンを回動可能に並設して構成することができる。
【００１４】
さらに、本考案の請求項４のレジスタは、長手方向に長く短手方向に短い細長の空気吹出口を有し、空気吹出口の内側に該長手方向に沿って１枚のフィンからなる前可動ルーバが配設され、前可動ルーバの後方に後可動ルーバが配設されたレジスタにおいて、該前可動ルーバのフィンはその前後幅が伸縮する伸縮フィンとして形成され、該伸縮フィンは、平面と平行のスリット溝を背面に開口して設けた本体フィンと、該スリット溝に摺動可能に挿入される摺動フィンとを備えて構成され、該本体フィンの両側端部は通風路の壁面に枢軸により枢支され、該摺動フィンの両側端部にガイド軸が突設され、該ガイド軸は通風路の壁面に形成されたガイド溝に係合され、該伸縮フィンの向きを正面から上下または左右方向に変えたとき、該摺動フィンが該本体フィンから後方に突き出し移動することを特徴とする。
【００１５】
この考案のレジスタによれば、前可動ルーバの１枚の伸縮フィンを空気吹出口の正面に向けた状態では、摺動フィンが本体フィンのスリット溝内に収容され、後方への突き出しがないか或いは小さいが、伸縮フィンの向きを正面から上下にまたは左右に振ったとき、摺動フィンのガイド軸がガイド溝を摺動して、摺動フィンが本体フィンから後方に突き出すように移動する。これにより、伸縮フィンの前後幅が増大し、風の指向性を向上させることができる。
【００１６】
また、前可動ルーバの伸縮フィンの向きを通風路の送風方向と平行にしたとき、摺動フィンが本体フィン内に収納され、伸縮フィンの前後幅が短くなるので、後可動ルーバの位置を可能な限り空気吹出口に近づけることができ、これにより、後可動ルーバのフィンの向きを上下または左右に調整した際の風の指向性を改善することができる。
【考案の効果】
【００１７】
本考案のレジスタによれば、空気吹出口の形状を細長形状とし、フィンの数を少数にした場合でも、風向調整時の指向性を向上させることができ、さらに、レジスタの通風路の短手方向の長さを短くして、レジスタのコンパクト化を図ることができる。
【図面の簡単な説明】
【００１８】
【図１】本考案の第１実施形態を示すレジスタの正面図である。
【図２】同レジスタの平面図である。
【図３】同レジスタの斜視図である。
【図４】同レジスタの左側面図である。
【図５】同レジスタの右側面図である。
【図６】同レジスタの分解斜視図である。
【図７】図１のVII-VII断面図（ａ）、前可動ルーバを下に向けたときの同断面図（ｂ）、前可動ルーバを上に向けたときの同断面図（ｃ）である。
【図８】本考案の第２実施形態を示すレジスタの正面図である。
【図９】同レジスタの平面図である。
【図１０】同レジスタの斜視図である。
【図１１】同レジスタの左側面図である。
【図１２】同レジスタの分解斜視図である。
【図１３】図８のXIII-XIII断面図（ａ）、前可動ルーバを下に向けたときの同断面図（ｂ）、前可動ルーバを上に向けたときの同断面図（ｃ）である。
【図１４】従来のレジスタの説明縦断面図である。
【考案を実施するための形態】
【００１９】
以下、本考案の実施の形態を図面に基づいて説明する。図１〜図８は第１実施形態のレジスタを示している。図において１は、正面に長方形横長の空気吹出口１０を開口形成したベゼルであり、ベゼル１の後部にリテーナ２が接続されている。空気吹出口１０は、図１に示すように、偏平で細長い長方形に形成され、長手方向に長く短手方向に短い横長の長方形に形成される。
【００２０】
ベゼル１の背面側にはリテーナ２に連結するための図示しない嵌合部が設けられ、その嵌合部にダクト状のリテーナ２が嵌合・接続される。ベゼル１とリテーナ２内には通風路９が形成され、その通風路９内に前後して前可動ルーバ３と後可動ルーバ４が、夫々の横フィン（中央横フィン１１）と縦フィン２１を直交する形態で配設されている。ベゼル１の通風路９の左右側壁には、図６に示す如く、前可動ルーバ３用の軸受部１ｂが取り付けられ、軸受部１ｂに設けた軸孔には、前可動ルーバ３の中央横フィン１１の枢軸１１ａ、上伸縮フィン１２の本体フィン１３の枢軸１３ａ、及び下伸縮フィン１５の本体フィン１６の枢軸１６ａが、回動可能に支持されている。
【００２１】
図６に示すように、前可動ルーバ３は、中央横フィン１１、上伸縮フィン１２、及び下伸縮フィン１５からなる３枚のフィンを並設して構成される。中央横フィン１１の上側に上伸縮フィン１２が平行に配置され、中央横フィン１１の下側には下伸縮フィン１５が平行に配置される。この中央横フィン１１は、通常の１枚フィンであるが、通風路９の壁面に隣接して配置された上伸縮フィン１２及び下伸縮フィン１５は、各々本体フィン１３，１６と、その本体フィン１３，１６に対し摺動する摺動フィン１４，１７とからなり、摺動フィン１４，１７を摺動させてその前後幅を伸縮可能に構成される。
【００２２】
上伸縮フィン１２、下伸縮フィン１５の各本体フィン１３，１６には、図６，７のように、各々、スリット溝１３ｂ、１６ｂが背面から正面に向けて、つまり平面と平行に且つ背面に開口して形成され、上伸縮フィン１２の本体フィン１３のスリット溝１３ｂには摺動フィン１４が前後方向に摺動可能に挿入され、下伸縮フィン１５の本体フィン１６のスリット溝１６ｂには摺動フィン１７が前後方向に摺動可能に挿入される。つまり、上伸縮フィン１２と下伸縮フィン１５は、その摺動フィン１４と摺動フィン１７が本体フィン１３，１６のスリット溝１３ｂ、１６ｂ内で出入りすることにより、上伸縮フィン１２と下伸縮フィン１５の前後幅が伸縮する構造となっている。
【００２３】
本体フィン１３及び摺動フィン１４を備えた上伸縮フィン１２は、本体フィン１３の両側に突設された枢軸１３ａ，１３ａを、通風路９の側壁の軸受部１ｂに支持させて、上下に回動可能となっており、特に、上伸縮フィン１２の後端部が通風路９内の中央に向けられるように、上伸縮フィン１２が操作されたとき、その本体フィン１３のスリット溝１３ｂ内から摺動フィン１４が後方に突き出し移動し、上伸縮フィン１２の前後幅が増大する。一方、上伸縮フィン１２の後端部が通風路９の側壁側に向けられるように、上伸縮フィン１２が下向きに操作されたとき、上伸縮フィン１２の前後幅は縮小される構造である。
【００２４】
同様に、本体フィン１６及び摺動フィン１７を備えた下伸縮フィン１５は、本体フィン１６の両側に突設された枢軸１６ａ，１６ａを、通風路９の側壁の軸受部１ｂに支持させて、上下に回動可能となっており、特に、下伸縮フィン１５の後端部が通風路９内の中央に向けられるように、下伸縮フィン１５が操作されたとき、その本体フィン１６のスリット溝１６ｂ内から摺動フィン１７が後方に突き出し移動し、下伸縮フィン１５の前後幅が増大する構造となっている。一方、下伸縮フィン１５の後端部が通風路９の側壁側に向けられるように、下伸縮フィン１５が上向きに操作されたとき、下伸縮フィン１５の前後幅は縮小される構造となっている。
【００２５】
このため、上伸縮フィン１２の本体フィン１３の両側端部の枢軸１３ａ，１３ａは、通風路９の側壁の軸受部１ｂに枢支され、摺動フィン１４の両側端部にはガイド軸１４ａが突設され、そのガイド軸１４ａは通風路９の両側壁に形成された上ガイド溝２ａ，２ａに係合される。図７（ｃ）のように、上伸縮フィン１２の向きを正面から上方向に調整して上伸縮フィン１２の後端が通風路９の中央側を向いたとき、ガイド軸１４ａ，１４ａが上ガイド溝２ａ，２ａ内を摺動し、摺動フィン１４が本体フィン１３から後方に突き出し移動する如く、上ガイド溝２ａ，２ａの形状は、図５に示すように円弧状に形成されている。
【００２６】
同様に、下伸縮フィン１５の本体フィン１６の両側端部の枢軸１６ａ，１６ａは、通風路９の側壁の軸受部１ｂに枢支され、摺動フィン１７の両側端部にはガイド軸１７ａ，１７ａが突設され、そのガイド軸１７ａ，１７ａは通風路９の両側壁に形成された下ガイド溝２ｂ，２ｂに係合される。下ガイド溝２ｂ，２ｂの形状は、図７（ｂ）のように、下伸縮フィン１５の向きを正面から下方向に調整して下伸縮フィン１５の後端が通風路９の中央側を向いたとき、ガイド軸１７ａ，１７ａが下ガイド溝２ｂ，２ｂ内を摺動し、摺動フィン１７が本体フィン１６から後方に突き出し移動するように、図５に示す如く円弧状に形成されている。
【００２７】
なお、図３，６において、通風路９の両側側壁に設けた上ガイド溝２ａ及び下ガイド溝２ｂは、貫通して図示されているが、空気流の漏れを考慮すると、外側から上ガイド溝２ａ及び下ガイド溝２ｂをカバーし、空気漏れを防止することが望ましく、実際には上ガイド溝２ａ及び下ガイド溝２ｂは外側からカバーなどで塞がれる。
【００２８】
このように、上伸縮フィン１２または下伸縮フィン１５の後端部が通風路９の側壁側に向けられるように、上伸縮フィン１２が下向きにまたは下伸縮フィン１５が上向きに操作されたとき、上伸縮フィン１２、下伸縮フィン１５の前後幅が縮小されるので、上伸縮フィン１２、下伸縮フィン１５の後端部が通風路９の壁面に干渉しにくくなり、レジスタの空気吹出口１０、通風路９を高さ（上下幅）を縮小して、より偏平なスリット型のレジスタとすることができる。
【００２９】
一方、中央横フィン１１は、１枚のフィンから構成され、その前後方向の前後幅は、上述の摺動フィン１４，１７を後方に突き出した状態の上伸縮フィン１２及び下伸縮フィン１５の前後幅と略同じに形成される。中央横フィン１１の両側端部には枢軸１１ａが突設され、それらは通風路９の側壁の軸受部１ｂに支持される。上記の上伸縮フィン１２の本体フィン１３の枢軸１３ａ及び下伸縮フィン１５の本体フィン１６の枢軸１６ａも、同様に、側壁の軸受部１ｂに支持される。
【００３０】
そして、前可動ルーバ３の方向調整時には、これら中央横フィン１１、上伸縮フィン１２、及び下伸縮フィン１５が同じ方向に連動して回動するように、図４，６に示す如く、枢軸１１ａ、枢軸１３ａ、及び枢軸１６ａの先端に、クランク１８が設けられ、それらのクランク１８の偏倚軸には１本のリンクバー１９が連結され、中央横フィン１１、上伸縮フィン１２、及び下伸縮フィン１５が回動時に連動する構造となっている。なお、図面では省略されているが、中央横フィン１１の前部には、前可動ルーバ３のフィンの向きを上下に調整する際に使用する操作ノブ部を設けることが好ましい。
【００３１】
一方、図７に示すように、前可動ルーバ３の後方（奥）の通風路９内に後可動ルーバ４が配設される。後可動ルーバ４には、複数の縦フィン２１が左右に一定の間隔をおいて縦に並設される。図６に示すように、各縦フィン２１は上部と下部に枢軸２２が突設され、上下の枢軸２２は通風路９の上壁と下壁に設けた軸受部の軸孔に挿入され、左右に回動可能に支持されている。
【００３２】
また、各縦フィン２１の下側の枢軸２２には、クランク２３が設けられ、それらのクランク２３の偏倚軸に１本のリンクバー２４が連結され、全ての縦フィン２１が連動して回動する構造となっている。さらに、図４，７に示すように、操作ノブ５がベゼル１の中央下部に設けた開口部１ａから露出するように配設され、ベゼル１の底部中央に操作ノブ用の軸５ａが縦方向に設けられ、その軸５ａに操作ノブ５が回動可能に支持される。操作ノブ５の後部には、偏倚軸５ｂが下向きに突設される。一方、上記リンクバー２４の中央には、二股部２５ａを設けたリンク２５が連結され、その二股部２５ａに操作ノブ５の偏倚軸５ｂが係合する。
【００３３】
これにより、操作ノブ５を右に回動操作すると、後可動ルーバ４の各縦フィン２１が、リンク２５、リンクバー２４、クランク２３、及び枢軸２２を介して右に回動し、風向を右に調整する。一方、操作ノブ５を左に回動操作すると、後可動ルーバ４の各縦フィン２１が、リンク２５、リンクバー２４、クランク２３、及び枢軸２２を介して左に回動し、風向を左に調整するようになっている。
【００３４】
上記構成のレジスタは、自動車の車内のインストルメントパネルやダッシュボードの部位に、そのリテーナ２の末端を図示しない通風ダクトに接続するようにして装着される。通風ダクトから送られる空気は、リテーナ２、ベゼル１内の通風路９から空気吹出口１０を通して吹き出される。
【００３５】
図７（ａ）のように、前可動ルーバ３の横フィンと後可動ルーバ４の縦フィン２１を、通風路９の送風方向と平行にした状態で、空気流は通風路９内を真直ぐに進み、後可動ルーバ４、前可動ルーバ３の間を通過し、空気吹出口１０から前方に吹き出される。このとき、前可動ルーバ３の上伸縮フィン１２と下伸縮フィン１５は、その摺動フィン１４，１７が本体フィン１３，１６のスリット溝１３ｂ、１６ｂ内に中間位置まで収納されており、上伸縮フィン１２と下伸縮フィン１５の前後幅ａ１は図７（ａ）の如く中間的な長さとなっている。
【００３６】
空気の吹出向きを上下に調整する場合、前可動ルーバ３の中央横フィン１１を持って上または下に回動操作する。中央横フィン１１を例えば下に回動させると、図７（ｂ）のように、中央横フィン１１が下向きとなり、クランク１８、リンクバー１９を介して連結される上伸縮フィン１２及び下伸縮フィン１５が同様に下に回動され、下向きとなる。
【００３７】
このとき、上伸縮フィン１２の摺動フィン１４は、そのガイド軸１４ａが上ガイド溝２ａに係合して移動することにより、本体フィン１３のスリット溝１３ｂ内に進入し収納された状態となり、これにより、上伸縮フィン１２の前後幅ａ２は図７（ｂ）のように、縮小される。このため、上伸縮フィン１２はその後端部が通風路９の壁面に干渉することなく、下向きになることができる。
【００３８】
一方、下伸縮フィン１５の摺動フィン１７は、そのガイド軸１７ａが下ガイド溝２ｂに係合して移動することにより、本体フィン１６のスリット溝１６ｂから後方に突き出した状態となり、これにより、下伸縮フィン１５の前後幅ａ３は図７（ｂ）のように拡大され、その拡大された下伸縮フィン１５の後端が通風路９の中央を向くことになる。このため、通風路９の中央から下部を流れる空気流が幅広の下伸縮フィン１５により効果的に下向きにガイドされ、指向性の良好な下向きの送風を行なうことができる。
【００３９】
他方、中央横フィン１１を上に回動させると、図７（ｃ）のように、中央横フィン１１が上向きとなり、クランク１８、リンクバー１９を介して連結される上伸縮フィン１２及び下伸縮フィン１５が同様に上に回動され、上向きとなる。
【００４０】
このとき、下伸縮フィン１５の摺動フィン１７は、そのガイド軸１７ａが下ガイド溝２ｂに係合して移動することにより、本体フィン１６のスリット溝１６ｂ内に収納された状態となり、これにより、下伸縮フィン１５の前後幅が縮小される。このため、図７（ｃ）のように、下伸縮フィン１５はその後端部が通風路９の壁面に干渉することなく、下向きになることができる。
【００４１】
一方、上伸縮フィン１２の摺動フィン１４は、そのガイド軸１４ａが上ガイド溝２ａに係合して移動することにより、本体フィン１３のスリット溝１３ｂから後方に突き出した状態となり、これにより、上伸縮フィン１２の前後幅が拡大され、その拡大された上伸縮フィン１２の後端が通風路９の中央側を向くことになる。このため、図７（ｃ）のように、通風路９の中央から上部を流れる空気流が幅広の上伸縮フィン１２により効果的に上向きに曲げられ、指向性の良好な上向きの送風を行なうことができる。
【００４２】
このように、前可動ルーバ３の向きを正面から上又は下向きに調整したとき、通風路９の壁面に隣接する上伸縮フィン１２または下伸縮フィン１５は、その後端を通風路９の中央側に向ける上伸縮フィン１２または下伸縮フィン１５が、摺動フィン１４、１７のガイド軸１４ａ、１７ａを上下ガイド溝２ａ、２ｂ内で摺動させ、摺動フィン１４、１７が本体フィン１３、１６から後方に突き出すように移動する。このため、上伸縮フィン１２または下伸縮フィン１５の前後幅が増大し、前可動ルーバ３を上向きまたは下向きに調整したときの風の指向性を向上させることができる。
【００４３】
さらに、前可動ルーバ３の向きを正面から上又は下向きに調整した際、フィンの後端を通風路９の中央側に向ける上伸縮フィン１２または下伸縮フィン１５のみが、その摺動フィン１４、１７を突出させ、フィンの後端を通風路９の壁面側に向ける下伸縮フィン１５または上伸縮フィン１２は、その摺動フィン１７、１４が本体フィン１６，１３内に収納され、その前後幅は縮小する。
【００４４】
このため、上伸縮フィン１２または下伸縮フィン１５のフィンの後端が通風路９の壁面に干渉しにくくなり、通風路９の短手方向の幅を狭くして空気吹出口１０を細長形状としたスリットタイプのレジスタであっても、前可動ルーバ３のフィンを通風路９内で壁面に干渉させずに回動させることができる。このため、フィンの干渉を避けるために、通風路９の壁面に切欠凹部を設け、或いは通風路９の短手方向の長さを拡大する必要がなく、レジスタの外形形状を小型化することができる。
【００４５】
なお、上記実施形態では、横長の空気吹出口１０を有したレジスタについて、前可動ルーバ３に上伸縮フィン１２，中央横フィン１１，下伸縮フィン１５を設け、後可動ルーバ４に縦フィン２１を設けたが、それらを９０度回転させた状態とし、縦長の空気吹出口とし、前可動ルーバに複数の縦フィンを設け、後可動ルーバに複数の横フィンを設け、前可動ルーバの縦フィンを伸縮フィンとして構成することもできる。
【００４６】
図８〜図１３は第２実施形態のレジスタを示している。この例のレジスタは、上記の３枚タイプの前可動ルーバ３に代えて、１枚タイプの伸縮フィン３２を設けた前可動ルーバ８を使用している。上記実施形態と同じ部分については、図面において同じ図符号を付しているので、上記を参照されたい。
【００４７】
レジスタの主要部を構成するベゼル１とリテーナ２の構造は、上記と同様であり、ベゼル１の背面側にはリテーナ２に連結するための図示しない嵌合部が設けられ、その嵌合部にダクト状のリテーナ２が嵌合・接続される。ベゼル１とリテーナ２内には通風路９が形成され、その通風路９内に前後して前可動ルーバ８と後可動ルーバ４が、夫々の伸縮フィン３２と縦フィン２１を直交する形態で配設されている。ベゼル１の通風路９の左右側壁には、図１０，１２に示す如く、前可動ルーバ３用の軸受部１ｃが取り付けられ、軸受部１ｃに設けた軸孔には、前可動ルーバ３の伸縮フィン３２の本体フィン３３の枢軸３３ａが、回動可能に支持されている。
【００４８】
図１０、１２に示すように、前可動ルーバ８は、水平横方向に配設された１枚の伸縮フィン３２から構成され、伸縮フィン３２は、本体フィン３３と、その本体フィン３３に対し摺動する摺動フィン３４とからなり、摺動フィン３４を摺動させてフィンの前後幅を伸縮するように構成される。伸縮フィン３２の本体フィン３３には、スリット溝３３ｂが背面から正面に向けて、つまり平面と平行に且つ背面に開口して形成され、スリット溝３３ｂには摺動フィン３４がフィンの前後方向に摺動可能に挿入され、摺動フィン３４が本体フィン３３内から出入りすることにより、伸縮フィン３２の前後幅が伸縮する構造となっている。
【００４９】
本体フィン３３及び摺動フィン３４を備えた伸縮フィン３２は、本体フィン３３の両側に突設された枢軸３３ａ，３３ａを、通風路９の側壁の軸受部１ｃに支持させて、上下に回動可能となっており、特に、伸縮フィン３２の向きを上下方向に向けて、伸縮フィン３２の後端部が通風路９の側壁側に向けられたとき、その本体フィン３３のスリット溝３３ｂ内から摺動フィン３４が後方に突き出し移動して、伸縮フィン３２の前後幅が拡幅する。一方、伸縮フィン３２がレジスタの正面に向けられたとき、つまり、図１３（ａ）に示す如く、伸縮フィン３２が水平状態に操作されたときには、伸縮フィン３２の前後幅が縮小されるようになっている。
【００５０】
このため、伸縮フィン３２の本体フィン３３の両側端部の枢軸３３ａ，３３ａは、通風路９の側壁の軸受部１ｃに枢支され、摺動フィン３４の両側端部にはガイド軸３４ａが突設され、そのガイド軸３４ａは、通風路９の両側壁に形成されたガイド溝２ｃに係合されている。ガイド溝２ｃの形状は、図１２、１３に示すように、円弧状に形成され、伸縮フィン３２の向きを正面から上下方向に調整したとき、ガイド軸３４ａ，３４ａがガイド溝２ｃ，２ｃ内を摺動し、摺動フィン３４が本体フィン３３から後方に突き出し移動するように構成される。
【００５１】
本体フィン３３の前部には、図１２に示す如く、前可動ルーバ８の伸縮フィン３２の向きを上下に調整する際に使用する操作ノブ部３３ｃが設けられている。
【００５２】
このように、前可動ルーバ８が１枚の伸縮フィン３２から構成されるので、レジスタは、複数のフィンの前可動ルーバを設ける場合に比べ、その空気吹出口１０、通風路９の高さ（上下幅）を縮小して、より偏平なスリット型のレジスタとすることができる。
【００５３】
一方、図１２、１３に示すように、前可動ルーバ８の後方（奥）の通風路９内に後可動ルーバ４が配設される。後可動ルーバ４には、複数の縦フィン２１が左右に一定の間隔をおいて縦に並設される。各縦フィン２１は上部と下部に枢軸２２が突設され、上下の枢軸２２は通風路９の上壁と下壁に設けた軸受部の軸孔に挿入され、左右に回動可能に支持されている。
【００５４】
このような後可動ルーバ４は、前可動ルーバ８の後方（奥）に配置されるため、その位置がレジスタの空気吹出口１０から遠くなり、縦フィン２１の向きを左右に振った場合、後可動ルーバ４の位置が後方になるほど、送風方向を左右に曲げ難くなる。しかし、前可動ルーバ８が伸縮フィン３２を有し、伸縮フィン３２が正面を向くように水平に調整されたとき、摺動フィン３４は本体フィン３３内に収納されて、フィンの前後幅が縮小するので、伸縮フィン３２の縮小幅だけ後可動ルーバ４の位置を前方に出すことができる。このため、後可動ルーバ４の位置を空気吹出口１０に近づけ、左右方向に後可動ルーバ４の縦フィン２１を調整時の風の指向性を改善することができる。
【００５５】
一方、各縦フィン２１の下側の枢軸２２には、クランク２３が設けられ、それらのクランク２３の偏倚軸に１本のリンクバー２４が連結され、全ての縦フィン２１が連動して回動する構造となっている。さらに、図１０に示すように、操作ノブ５がベゼル１の中央下部に設けた開口部１ａから露出するように配設され、ベゼル１の底部中央に操作ノブ用の軸５ａが縦方向に設けられ、その軸５ａに操作ノブ５が回動可能に支持される。操作ノブ５の後部には、偏倚軸５ｂが下向きに突設される。上記リンクバー２４の中央には、二股部２５ａを設けたリンク２５が連結され、その二股部２５ａに操作ノブ５の偏倚軸５ｂが係合する。
【００５６】
これにより、操作ノブ５を右に回動操作すると、後可動ルーバ４の各縦フィン２１が、リンク２５、リンクバー２４、クランク２３、枢軸２２を介して右に回動し、風向を右に調整する。一方、操作ノブ５を左に回動操作すると、後可動ルーバ４の各縦フィン２１が、リンク２５、リンクバー２４、クランク２３、枢軸２２を介して左に回動し、風向を左に調整するように構成される。
【００５７】
上記構成のレジスタは、図１３（ａ）のように、前可動ルーバ８の伸縮フィン３２と後可動ルーバ４の縦フィン２１を、通風路９の送風方向と平行にした状態で、送風時の空気流は通風路９内を真直ぐに進み、後可動ルーバ４、前可動ルーバ３の間を通過し、空気吹出口１０から前方に吹き出される。このとき、前可動ルーバ８の伸縮フィン３２は、その摺動フィン３４が本体フィン３３のスリット溝３３ｂ内収納されており、伸縮フィン３２の前後幅ａ４は図１３（ａ）の如く短くなっている。
【００５８】
空気の吹出方向を上下に調整する場合、前可動ルーバ８の伸縮フィン３２の操作ノブ部３３ｃを持って上または下に回動操作する。伸縮フィン３２が上または下に回動操作されると、伸縮フィン３２の本体フィン３３が枢軸３３ａを軸に回動すると共に、摺動フィン３４のガイド軸３４ａが側壁のガイド溝２ｃに係合して移動し、これにより、摺動フィン３４が本体フィン３３のスリット溝３３ｂ内から後方に突き出るように移動する。これにより、１枚タイプの前可動ルーバ８であっても、伸縮フィン３２の前後幅ａ５が図１３（ｂ）のように拡張されるので、前可動ルーバ８の伸縮フィン３２の向きを上下に振ったときの風の指向性を向上させることができる。
【００５９】
また、上述のように、伸縮フィン３２が正面を向くように水平に調整されたとき、摺動フィン３４は本体フィン３３内に収納されて、フィンの前後幅が縮小するので、伸縮フィン３２の縮小幅だけ後可動ルーバ４の位置を前方に出すことができる。これにより、後可動ルーバ４の位置を可能な限り空気吹出口１０に近づけることができ、左右方向に後可動ルーバ４の縦フィン２１を調整した時の、風の指向性を改善することができる。
【符号の説明】
【００６０】
１      ベゼル
２      リテーナ
２ａ    上ガイド溝
２ｂ    下ガイド溝
３      前可動ルーバ
４      後可動ルーバ
８      前可動ルーバ
９      通風路
１０    空気吹出口
１１    中央横フィン
１２    上伸縮フィン
１３    本体フィン
１３ａ  枢軸
１３ｂ  スリット溝
１４    摺動フィン
１４ａ  ガイド軸
１５    下伸縮フィン
１６    本体フィン
１６ａ  枢軸
１６ｂ  スリット溝
１７    摺動フィン
１７ａ  ガイド軸
【図１】
0003158931.tif 000003
【図２】
0003158931.tif 000004
【図３】
0003158931.tif 000005
【図４】
0003158931.tif 000006
【図５】
0003158931.tif 000007
【図６】
0003158931.tif 000008
【図７】
0003158931.tif 000009
【図８】
0003158931.tif 000010
【図９】
0003158931.tif 000011
【図１０】
0003158931.tif 000012
【図１１】
0003158931.tif 000013
【図１２】
0003158931.tif 000014
【図１３】
0003158931.tif 000015
【図１４】
0003158931.tif 000016